(57)【要約】【課題】１本の指で直感的に分かり易く画面の拡大・縮小のためのタッチ操作を行う。【解決手段】表示装置１は、移動軌跡検出部５１と、操作判定部５２と、表示制御部５３とを備える。移動軌跡検出部５１は、表示画面に対するタッチ操作を検出する。操作判定部５２は、移動軌跡検出部５１によって検出されたタッチ操作に、タッチ位置が表示画面の所定の領域を移動するエッジトレース操作が含まれるか否かを判定する。表示制御部５３は、操作判定部５２によって、タッチ位置が所定の領域を移動する操作であるエッジトレース操作が含まれると判定された場合に、所定の領域を移動する方向に応じて、表示画面を拡大表示または縮小表示させる制御を行う。【選択図】図２
2018037111.tif 000002
【特許請求の範囲】
【請求項１】
表示画面に対するタッチ操作を検出する操作検出手段と、
前記操作検出手段によって検出された前記タッチ操作に、タッチ位置が前記表示画面の周縁部の領域を前記表示画面の辺に沿って移動する操作が含まれるか否かを判定する判定手段と、
前記判定手段によって、前記タッチ位置が前記周縁部の領域を移動する操作が前記タッチ操作に含まれると判定された場合に、前記周縁部の領域を移動する方向に応じて、表示画面を拡大表示または縮小表示させる制御を行う表示制御手段と、を備え、
前記タッチ位置が前記周縁部を移動する操作を含むタッチ操作の移動軌跡の開始位置が前記周縁部外の領域であって、前記移動軌跡の終了位置が前記周縁部内の領域であるとき、前記表示制御手段は、前記表示画面における前記タッチ操作の前記開始位置または前記終了位置を中心として、前記表示画面を拡大表示または縮小表示させる、
ことを特徴とする表示装置。
【請求項２】
前記表示制御手段は、前記タッチ操作において、前記表示画面の前記周縁部の領域を移動する過程で方向の反転が行われた場合、当該移動の方向に対応して、前記表示画面の拡大表示及び縮小表示を切り替える制御を行うことを特徴とする請求項１に記載の表示装置。
【請求項３】
前記表示制御手段は、前記タッチ位置が前記周縁部の領域を移動する操作が含まれると判定された場合に、前記周縁部の領域を移動する距離に応じて、前記表示画面を拡大表示または縮小表示させる際の、拡大率または縮小率を制御することを特徴とする請求項１または２に記載の表示装置。
【請求項４】
表示画面に対するタッチ操作を検出する操作検出ステップと、
前記操作検出ステップにおいて検出された前記タッチ操作に、タッチ位置が前記表示画面の周縁部の領域を前記表示画面の辺に沿って移動する操作が含まれるか否かを判定する判定ステップと、
前記判定ステップによって、前記タッチ位置が前記周縁部の領域を移動する操作が前記タッチ操作に含まれると判定された場合に、前記周縁部の領域を移動する方向に応じて、表示画面を拡大表示または縮小表示させる制御を行う表示制御ステップと、
を含み、
前記タッチ位置が前記周縁部を移動する操作を含むタッチ操作の移動軌跡の開始位置が前記周縁部外の領域であって、前記移動軌跡の終了位置が前記周縁部内の領域であるとき、前記表示制御ステップにおいて、前記表示画面における前記タッチ操作の前記開始位置または前記終了位置を中心として、前記表示画面を拡大表示または縮小表示させる、ことを特徴とする表示制御方法。
【請求項５】
コンピュータに、
表示画面に対するタッチ操作を検出する操作検出機能と、
前記操作検出機能によって検出された前記タッチ操作に、タッチ位置が前記表示画面の周縁部の領域を前記表示画面の辺に沿って移動する操作が含まれるか否かを判定する判定機能と、
前記判定機能によって、前記タッチ位置が前記周縁部の領域を移動する操作が前記タッチ操作に含まれると判定された場合に、前記周縁部の領域を移動する方向に応じて、表示画面を拡大表示または縮小表示させる制御を行う表示制御機能と、
を実現させ、
前記タッチ位置が前記周縁部を移動する操作を含むタッチ操作の移動軌跡の開始位置が前記周縁部外の領域であって、前記移動軌跡の終了位置が前記周縁部内の領域であるとき、前記表示制御機能として、前記表示画面における前記タッチ操作の前記開始位置または前記終了位置を中心として、前記表示画面を拡大表示または縮小表示させる制御を行うことを実現させる、ことを特徴とするプログラム。
【発明の詳細な説明】
【技術分野】
【０００１】
本発明は、タッチ操作によって拡大・縮小表示を行う表示装置、表示制御方法及びプログラムに関する。
【背景技術】
【０００２】
従来、スマートフォン等の表示装置においては、画面へのタッチ操作によって、画面のスクロールや文字入力等の操作が行われている。
また、近年、腕に装着して使用されるリスト型の表示装置が注目されており、リスト型の表示装置にスマートフォンに類する機能が実装されるようになっている。
このようなリスト型の表示装置については、例えば特許文献１に記載されている。
【先行技術文献】
【特許文献】
【０００３】
【特許文献１】特開２０１３−６１１７６号公報
【発明の概要】
【発明が解決しようとする課題】
【０００４】
しかしながら、リスト型の情報処理端末は、スマートフォン等の他の表示装置に比べて表示面が小さいことから、タッチ操作を行う上で制約がある。
特に、表示画面の拡大・縮小を行う場合、スマートフォンのようにピンチ・アウトやピンチ・インといった２本の指を使用する操作を行うことが困難である。
このように、従来の技術においては、１本の指で直感的に分かり易く画面の拡大・縮小のためのタッチ操作を行うことが困難であった。
【０００５】
本発明は、このような状況に鑑みてなされたものであり、１本の指で直感的に分かり易く画面の拡大・縮小のためのタッチ操作を行うことを目的とする。
【課題を解決するための手段】
【０００６】
上記目的を達成するため、本発明の一態様の表示装置は、表示画面に対するタッチ操作を検出する操作検出手段と、前記操作検出手段によって検出された前記タッチ操作に、タッチ位置が前記表示画面の周縁部の領域を前記表示画面の辺に沿って移動する操作が含まれるか否かを判定する判定手段と、前記判定手段によって、前記タッチ位置が前記周縁部の領域を移動する操作が前記タッチ操作に含まれると判定された場合に、前記周縁部の領域を移動する方向に応じて、表示画面を拡大表示または縮小表示させる制御を行う表示制御手段と、を備え、前記タッチ位置が前記周縁部を移動する操作を含むタッチ操作の移動軌跡の開始位置が前記周縁部外の領域であって、前記移動軌跡の終了位置が前記周縁部内の領域であるとき、前記表示制御手段は、前記表示画面における前記タッチ操作の前記開始位置または前記終了位置を中心として、前記表示画面を拡大表示または縮小表示させる、ことを特徴とする。
【発明の効果】
【０００７】
本発明によれば、１本の指で直感的に分かり易く画面の拡大・縮小のためのタッチ操作を行うことができる。
【図面の簡単な説明】
【０００８】
【図１】本発明の一実施形態に係る表示装置のハードウェアの構成を示すブロック図である。
【図２】表示装置の機能的構成のうち、タッチ操作制御処理を実行するための機能的構成を示す機能ブロック図である。
【図３】エッジトレース操作に応じた表示画面の拡大表示または縮小表示の概念を示す模式図である。
【図４】図２の機能的構成を有する図１の表示装置が実行するタッチ操作制御処理の流れを説明するフローチャートである。
【図５】エッジトレース操作に応じた表示画面の縮小表示の概念を示す模式図である。
【発明を実施するための形態】
【０００９】
以下、本発明の実施形態について、図面を用いて説明する。
【００１０】
［構成］
図１は、本発明の一実施形態に係る表示装置１のハードウェアの構成を示すブロック図である。
表示装置１は、例えばリスト型端末として構成される。
【００１１】
表示装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、通信部２０と、ドライブ２１と、を備えている。
【００１２】
ＣＰＵ１１は、ＲＯＭ１２に記録されているプログラム、または、記憶部１９からＲＡＭ１３にロードされたプログラムに従って各種の処理を実行する。例えば、ＣＰＵ１１は、後述するタッチ操作制御処理プログラムに従って、タッチ操作制御処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、通信部２０及びドライブ２１が接続されている。
【００１５】
撮像部１６は、図示はしないが、光学レンズ部と、イメージセンサと、を備えている。
【００１６】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１７】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号が示すデータを、以下、「撮像画像のデータ」と呼ぶ。撮像画像のデータは、ＣＰＵ１１や図示しない画像処理部等に適宜供給される。
【００１８】
入力部１７は、各種釦等で構成され、ユーザの指示操作に応じて各種情報を入力する。
出力部１８は、ディスプレイやスピーカ等で構成され、画像や音声を出力する。本実施形態においては、出力部１８としてのディスプレイに入力部１７としてのタッチパネルが重畳された構成となっており、表示画面へのタッチ操作による入力を可能としている。
記憶部１９は、ＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２０は、インターネットを含むネットワークを介して他の装置（図示せず）との間で行う通信を制御する。
【００１９】
ドライブ２１には、磁気ディスク、光ディスク、光磁気ディスク、あるいは半導体メモリ等よりなる、リムーバブルメディア３１が適宜装着される。ドライブ２１によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２０】
図２は、このような表示装置１の機能的構成のうち、タッチ操作制御処理を実行するための機能的構成を示す機能ブロック図である。
タッチ操作制御処理とは、タッチパネルへのタッチ操作において、接触位置が表示画面の所定の領域、例えば、周縁部（最外周から設定画素数だけ内側までの範囲）を辿る操作を検出し、この操作に応じて、表示画面の拡大表示あるいは縮小表示を行う一連の処理をいう。なお、本実施形態における表示装置１は、一般的なフリックやタップ等のタッチ操作に応じて表示を制御することに加えて、タッチ操作制御処理による表示画面の拡大表示あるいは縮小表示を行う。また、周縁部に限らず、表示画面の所定の領域を辿る操作を検出し、この操作に応じて、表示画面の拡大表示あるいは縮小表示を行うことができればよい。
【００２１】
タッチ操作制御処理が行われる場合、図２に示すように、ＣＰＵ１１において、移動軌跡検出部５１と、操作判定部５２と、表示制御部５３とが機能する。
【００２２】
移動軌跡検出部５１は、タッチ操作が行われたか否かを判定し、タッチ操作が行われたと判定した場合、表示画面においてタッチ操作が開始された場所（開始位置）からタッチ操作が終了された場所（終了位置）までの接触位置の移動軌跡を検出する。例えば、移動軌跡検出部５１は、タッチ操作が開始された場所からタッチ操作が終了された場所までの表示画面上のアドレスを逐次検出する。
【００２３】
操作判定部５２は、移動軌跡検出部５１が検出したタッチ操作の移動軌跡に基づいて、表示画面の周縁部を辿る操作（以下、「エッジトレース操作」と呼ぶ。）が行われたか否かの判定を行う。そして、操作判定部５２は、エッジトレース操作が行われたと判定した場合、そのエッジトレース操作における移動方向（左から右あるいは上から下等）及び移動距離を検出する。
【００２４】
本実施形態においては、エッジトレース操作における移動方向と、表示画面の拡大または縮小との関係が予め設定されている。具体的には、表示画面の周縁部において、左右の辺に沿う領域では、上から下への移動が表示画面の縮小に対応し、下から上への移動が表示画面の拡大に対応している。また、表示画面の周縁部において、上下の辺に沿う領域では、左から右への移動が表示画面の拡大に対応し、右から左への移動が表示画面の縮小に対応している。
さらに、本実施形態においては、エッジトレース操作における移動距離と、表示画面の拡大率または縮小率とが予め対応付けられている。即ち、エッジトレース操作における移動距離が長いほど、拡大または縮小の度合いが大きくなるように拡大率または縮小率が設定されている。
【００２５】
表示制御部５３は、タッチ操作の過程にエッジトレース操作が含まれている場合、タッチ操作の開始位置あるいは終了位置を中心として、エッジトレース操作の移動方向及び移動距離に応じた表示画面の拡大または縮小表示を行う。また、エッジトレース操作として、表示画面の辺に沿って接触位置を移動させる方向が反転された場合、表示制御部５３は、その移動方向に対応させて、表示画面の拡大表示と縮小表示とを切り替える。
【００２６】
図３は、エッジトレース操作に応じた表示画面の拡大表示または縮小表示の概念を示す模式図である。
図３（ａ）においては、表示画面の開始位置から表示画面下に向かって接触位置が移動し、表示画面の下の辺に到達した後に、右に向かって接触位置が移動し、終了位置でタッチ操作が終了している。
この場合、タッチ操作の過程に拡大表示に対応するエッジトレース操作が含まれるため、表示制御部５３は、図３（ｂ）に示すように、エッジトレース操作の移動距離に応じた拡大率で、タッチ操作の開始位置を中心とする表示画面の拡大表示を行う。なお、この場合、接触位置が下に向かって移動している際には、通常のドラッグ操作と同様であるため、表示画面が一旦、下にスクロールし、表示画面の下の辺に到達した後に、エッジトレース操作に移行すると、開始位置を中心とする拡大表示に変化する。
【００２７】
これに対し、図３（ｃ）においては、表示画面の下の辺に沿う開始位置から左に向かって接触位置が移動した後、表示画面上に向かって接触位置が移動し、終了位置でタッチ操作が終了している。
この場合、タッチ操作の過程に縮小表示に対応するエッジトレース操作が含まれるため、表示制御部５３は、図３（ｄ）に示すように、エッジトレース操作の移動距離に応じた縮小率で、タッチ操作の終了位置を中心とする表示画面の縮小表示を行う。
【００２８】
［動作］
次に、動作を説明する。
図４は、図２の機能的構成を有する図１の表示装置１が実行するタッチ操作制御処理の流れを説明するフローチャートである。
タッチ操作制御処理は、表示装置１の電源投入と共に開始され、電源がオフとされるまで繰り返し実行される。
【００２９】
タッチ操作制御処理が開始されると、ステップＳ１において、移動軌跡検出部５１は、表示画面に対するタッチ操作が行われたか否かの判定を行う。
表示画面に対するタッチ操作が行われた場合、ステップＳ１においてＹＥＳと判定されて、処理はステップＳ２に移行する。
これに対し、表示画面に対するタッチ操作が行われていない場合、ステップＳ１においてＮＯと判定されて、ステップＳ１の処理が繰り返される。
【００３０】
ステップＳ２において、移動軌跡検出部５１は、表示画面におけるタッチ操作の開始位置から終了位置までの接触位置の移動軌跡を検出する。
ステップＳ３において、操作判定部５２は、移動軌跡検出部５１が検出したタッチ操作の移動軌跡に基づいて、エッジトレース操作が行われたか否かの判定を行う。
エッジトレース操作が行われていない場合、ステップＳ３においてＮＯと判定されて、タッチ操作制御処理が繰り返される。
これに対し、エッジトレース操作が行われた場合、ステップＳ３においてＹＥＳと判定されて、処理はステップＳ４に移行する。
【００３１】
ステップＳ４において、操作判定部５２は、エッジトレース操作における移動方向及び移動距離を検出する。
ステップＳ５において、表示制御部５３は、タッチ操作の開始位置あるいは終了位置を中心として、エッジトレース操作の移動方向及び移動距離に応じた表示画面の拡大または縮小表示を行う。
具体的には、表示制御部５３は、図３（ａ）のようなエッジトレース操作が行われた場合、開始位置を中心として表示画面の拡大表示を行い、図３（ｃ）のようなエッジトレース操作が行われた場合、終了位置を中心として表示画面の縮小表示を行う。
ステップＳ５の後、タッチ操作制御処理が繰り返される。
【００３２】
以上のように構成される表示装置１は、移動軌跡検出部５１と、操作判定部５２と、表示制御部５３とを備える。
移動軌跡検出部５１は、表示画面に対するタッチ操作を検出する。
操作判定部５２は、移動軌跡検出部５１によって検出されたタッチ操作に、タッチ位置が表示画面の所定の領域（例えば周縁部）を移動するエッジトレース操作が含まれるか否かを判定する。
表示制御部５３は、操作判定部５２によって、タッチ位置が所定の領域を移動する操作であるエッジトレース操作が含まれると判定された場合に、所定の領域を移動する方向に応じて、表示画面を拡大表示または縮小表示させる制御を行う。
これにより、表示装置１においては、表示画面にタッチ操作する場合に、表示画面の周縁部を移動するエッジトレース操作を行うことにより、その方向に応じた表示画面の拡大表示あるいは縮小表示が行われる。また、このとき、エッジトレース操作の距離に応じた拡大率あるいは縮小率で、表示画面の拡大表示あるいは縮小表示が行われる。
したがって、１本の指で直感的に分かり易く画面の拡大・縮小のためのタッチ操作を行うことが可能となる。
【００３３】
また、表示制御部５３は、表示画面におけるタッチ操作の開始位置または終了位置の少なくともいずれかを中心として、表示画面を拡大表示または縮小表示させる。
これにより、ユーザは、表示画面において拡大あるいは縮小したい中心位置を直感的にわかり易く指定することができる。
【００３４】
表示制御部５３は、エッジトレース操作において、表示画面の周縁部を移動する過程で方向の反転が行われた場合、当該移動の方向に対応して、表示画面の拡大表示及び縮小表示を切り替える制御を行う。
これにより、エッジトレース操作の過程で、ユーザは表示画面の拡大・縮小を柔軟に切り替えて表示画面の確認を行うことができるため、表示画面の拡大・縮小のためのタッチ操作を行う際の利便性をより高めることができる。
【００３５】
また、表示制御部５３は、タッチ位置が所定の領域を移動する操作が含まれると判定された場合に、所定の領域を移動する距離に応じて、表示画面を拡大表示または縮小表示させる際の、拡大率または縮小率を制御する。
これにより、ユーザがタッチ操作を行う場合に、表示画面の拡大・縮小の度合いが直感的に分かり易いものとなる。
【００３６】
［応用例１］
上記実施形態において、エッジトレース操作によって表示画面の縮小表示を行う場合に、図３（ｃ）に示すように、タッチ操作の終了位置を中心とする場合の他、タッチ操作の開始位置を中心とすることもできる。
図５は、エッジトレース操作に応じた表示画面の縮小表示の概念を示す模式図である。
図５（ａ）においては、表示画面の開始位置から表示画面下に向かって接触位置が移動し、表示画面の下の辺に到達した後に、小さく右に向かって接触位置が移動している。その後、移動方向が反転して、大きく左に向かって接触位置が移動し、終了位置でタッチ操作が終了している。
【００３７】
この場合、図５（ｂ）に示すように、接触位置が下に向かって移動している際には、通常のドラッグ操作と同様であるため、表示画面が一旦、下にスクロールする。ただし、接触位置が表示画面の下の辺に到達した後に、辺に沿って右に移動すると、開始位置を中心とする拡大表示に変化する。なお、この右への接触位置の移動を経ることなく、表示画面の下の辺に到達後、直ちに左へ接触位置を移動させることとしてもよい。
そして、図５（ｃ）に示すように、接触位置の移動を反転させ、辺に沿って左に移動させると、開始位置を中心とする縮小表示に変化する。
その結果、図５（ｄ）に示すように、タッチ操作の開始位置を中心とする表示画面の縮小表示が行われる。
【００３８】
このような操作形態とした場合、図３（ａ），（ｂ）に示す拡大表示と同様に、タッチ操作の開始位置を中心とする表示画面の縮小表示を行うことができるため、拡大表示及び縮小表示の両方において、統一的な操作形態を提供することができる。
なお、縮小表示の操作を図３（ａ），（ｂ）に示す拡大表示と同様の操作形態とする場合の他、表示画面の拡大表示を行う場合に、図３（ｃ），（ｄ）に示す縮小表示と同様に、タッチ操作の終了位置を拡大表示の中心とすることもできる。
この場合、例えば、表示画面の下の辺に沿う開始位置から右に向かって接触位置を移動させた後、表示画面上に向かって接触位置を移動させ、終了位置でタッチ操作を終了する。
すると、タッチ操作の過程に拡大表示に対応するエッジトレース操作が含まれるため、表示制御部５３が、エッジトレース操作の移動距離に応じた拡大率で、タッチ操作の終了位置を中心とする表示画面の縮小表示を行う。
【００３９】
このような操作形態とすることによっても、図３（ｃ），（ｄ）に示す縮小表示と同様に、タッチ操作の終了位置を中心とする表示画面の拡大表示を行うことができるため、拡大表示及び縮小表示の両方において、統一的な操作形態を提供することができる。
【００４０】
なお、本発明は、上述の実施形態に限定されるものではなく、本発明の目的を達成できる範囲での変形、改良等は本発明に含まれるものである。
【００４１】
上述の実施形態では、表示画面の周縁部において、左右の辺に沿う領域では、上から下への移動が表示画面の縮小に対応し、下から上への移動が表示画面の拡大に対応するものとして説明したが、これに限られない。即ち、表示画面の周縁部において、左右の辺に沿う領域では、下から上への移動が表示画面の縮小に対応し、上から下への移動が表示画面の拡大に対応するものとしてもよい。
同様に、上述の実施形態では、表示画面の周縁部において、上下の辺に沿う領域では、左から右への移動が表示画面の拡大に対応し、右から左への移動が表示画面の縮小に対応するものとして説明したが、これに限られない。即ち、表示画面の周縁部において、上下の辺に沿う領域では、右から左への移動が表示画面の拡大に対応し、左から右への移動が表示画面の縮小に対応するものとしてもよい。
さらに、表示画面の周縁部において、左右の辺における移動の方向と拡大・縮小との関係を互いに反対に設定したり、上下の辺における移動の方向と拡大・縮小との関係を互いに反対に設定したりすることができる。例えば、表示画面の周縁部において、左周りの方向に移動された場合、表示画面の拡大に対応し、右回りの方向に移動された場合、表示画面の縮小に対応するものとできる。
【００４２】
また、上述の実施形態では、本発明が適用される表示装置１は、リスト型端末を例として説明したが、特にこれに限定されない。
例えば、本発明は、タッチ操作による入力機能を有する電子機器一般に適用することができる。具体的には、例えば、本発明は、ノート型のパーソナルコンピュータ、タブレット型端末、プリンタ、テレビジョン受像機、ビデオカメラ、携帯型ナビゲーション装置、携帯電話機、スマートフォン、ポータブルゲーム機等に適用可能である。
【００４３】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能が表示装置１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【００４４】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００４５】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ  Ｄｉｓｃ（ブルーレイディスク）（登録商標）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部１９に含まれるハードディスク等で構成される。
【００４６】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００４７】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００４８】
以下に、本願の出願当初の特許請求の範囲に記載された発明を付記する。
［付記１］
表示画面に対するタッチ操作を検出する操作検出手段と、
前記操作検出手段によって検出された前記タッチ操作に、タッチ位置が前記表示画面の所定の領域を移動する操作が含まれるか否かを判定する判定手段と、
前記判定手段によって、前記タッチ位置が前記所定の領域を移動する操作が含まれると判定された場合に、前記所定の領域を移動する方向に応じて、表示画面を拡大表示または縮小表示させる制御を行う表示制御手段と、
を備えることを特徴とする表示装置。
［付記２］
前記表示制御手段は、表示画面における前記タッチ操作の開始位置または終了位置の少なくともいずれかを中心として、表示画面を拡大表示または縮小表示させることを特徴とする付記１に記載の表示装置。
［付記３］
前記表示制御手段は、前記所定の操作において、表示画面の前記所定の領域を移動する過程で方向の反転が行われた場合、当該移動の方向に対応して、表示画面の拡大表示及び縮小表示を切り替える制御を行うことを特徴とする付記１または２に記載の表示装置。
［付記４］
前記表示制御手段は、前記タッチ位置が前記所定の領域を移動する操作が含まれると判定された場合に、前記所定の領域を移動する距離に応じて、表示画面を拡大表示または縮小表示させる際の、拡大率または縮小率を制御することを特徴とする付記１乃至３の何れか１つに記載の表示装置。
［付記５］
前記所定の領域は、表示画面の周縁部である付記１乃至４の何れか１つに記載の表示装置。
［付記６］
表示画面に対するタッチ操作を検出する操作検出ステップと、
前記操作検出ステップにおいて検出された前記タッチ操作に、タッチ位置が前記表示画面の所定の領域を移動する所定の操作が含まれるか否かを判定する判定ステップと、
前記判定ステップによって、前記タッチ操作に前記所定の領域を移動する操作が含まれると判定された場合に、前記所定の領域を移動する方向に応じて、表示画面を拡大表示または縮小表示させる制御を行う表示制御ステップと、
を含むことを特徴とする表示制御方法。
［付記７］
コンピュータに、
表示画面に対するタッチ操作を検出する操作検出機能と、
前記操作検出機能によって検出された前記タッチ操作に、タッチ位置が前記表示画面の所定の領域を移動する所定の操作が含まれるか否かを判定する判定機能と、
前記判定機能によって、前記タッチ操作に前記所定の領域を移動する操作が含まれると判定された場合に、前記所定の領域を移動する方向に応じて、表示画面を拡大表示または縮小表示させる制御を行う表示制御機能と、
を実現させることを特徴とするプログラム。
【符号の説明】
【００４９】
１・・・表示装置，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・通信部，２１・・・ドライブ，３１・・・リムーバブルメディア，５１・・・移動軌跡検出部，５２・・・操作判定部，５３・・・表示制御部
【図１】
2018037111.tif 000003
【図２】
2018037111.tif 000004
【図３】
2018037111.tif 000005
【図４】
2018037111.tif 000006
【図５】
2018037111.tif 000007
【手続補正書】
【提出日】平成29年12月27日(2017.12.27)
【手続補正２】
【補正対象書類名】明細書
【補正対象項目名】０００１
【補正方法】変更
【補正の内容】
【０００１】
本発明は、タッチ操作によって拡大・縮小表示を行うリスト型表示装置、リスト型表示装置に対する表示制御方法及びそのプログラムに関する。
【手続補正３】
【補正対象書類名】明細書
【補正対象項目名】０００６
【補正方法】変更
【補正の内容】
【０００６】
上記目的を達成するため、本発明の一態様のリスト型表示装置は、表示画面に対する操作を検出する操作検出手段と、前記表示画面の側部の領域を前記表示画面の辺に沿って移動する側部操作がなされたか否かを判定する判定手段と、前記操作検出手段により前記表示画面に対する操作が検出され、且つ前記判定手段により前記側部操作がなされたと判定された場合に、前記側部の領域を移動する方向に応じて、表示画面を拡大表示または縮小表示させる制御を行う表示制御手段と、を備え、前記表示制御手段は、前記表示画面における操作位置を中心として、前記表示画面を拡大表示または縮小表示させる、ことを特徴とする。
【手続補正４】
【補正対象書類名】特許請求の範囲
【補正対象項目名】全文
【補正方法】変更
【補正の内容】
【特許請求の範囲】
【請求項１】
表示画面に対する操作を検出する操作検出手段と、
前記表示画面の側部の領域を前記表示画面の辺に沿って移動する側部操作がなされたか否かを判定する判定手段と、
前記操作検出手段により前記表示画面に対する操作が検出され、且つ前記判定手段により前記側部操作がなされたと判定された場合に、前記側部の領域を移動する方向に応じて、表示画面を拡大表示または縮小表示させる制御を行う表示制御手段と、を備え、
前記表示制御手段は、前記表示画面における操作位置を中心として、前記表示画面を拡大表示または縮小表示させる、
ことを特徴とするリスト型表示装置。
【請求項２】
前記表示制御手段は、前記側部操作の前記表示画面の前記側部の領域を移動する過程で方向の反転が行われた場合、当該移動の方向に対応して、前記表示画面の拡大表示及び縮小表示を切り替える制御を行うことを特徴とする請求項１に記載のリスト型表示装置。
【請求項３】
前記表示制御手段は、前記側部操作の移動距離に応じて、前記表示画面を拡大表示または縮小表示させる際の、拡大率または縮小率を制御することを特徴とする請求項１または２に記載のリスト型表示装置。
【請求項４】
リスト型表示画面に対する操作を検出する操作検出ステップと、
前記表示画面の周縁部の領域を前記表示画面の辺に沿って移動する側部操作がなされたか否かを判定する判定ステップと、
前記操作検出ステップにより前記表示画面に対する操作が検出され、且つ前記判定ステップにより前記側部操作がなされたと判定された場合に、前記側部の領域を移動する方向に応じて、表示画面を拡大表示または縮小表示させる制御を行う表示制御ステップと、
を含み、
前記表示制御ステップにおいて、前記表示画面における操作位置を中心として、前記表示画面を拡大表示または縮小表示させる、ことを特徴とするリスト型表示装置に対する表示制御方法。
【請求項５】
リスト型表示装置が備えるコンピュータに、
表示画面に対する操作を検出する操作検出機能と、
前記表示画面の側部の領域を前記表示画面の辺に沿って移動する側部操作がなされたか否かを判定する判定機能と、
前記操作検出機能により前記表示画面に対する操作が検出され、且つ前記判定機能により前記側部操作がなされたと判定された場合に、前記側部の領域を移動する方向に応じて、表示画面を拡大表示または縮小表示させる制御を行う表示制御機能と、
を実現させ、
前記表示制御機能として、前記表示画面における操作位置を中心として、前記表示画面を拡大表示または縮小表示させる制御を行うことを実現させる、ことを特徴とするプログラム。